(57)【要約】【課題】ジョブの処理状況を容易に把握できる処理状況表示制御機能を実現すること。【解決手段】入力された画像データに対して画像形成処理を行って出力する画像形成装置において、利用者に対するデータ表示を行うとともに利用者からの操作入力を行わせる操作パネル１０１と、前記操作パネル１０１から指示された画像形成に関する複数のジョブを設定するジョブ設定手段と、前記ジョブ設定手段が設定した前記複数のジョブの処理状況を前記表示操作手段上に同時に表示する処理状況表示制御手段とを備えた。【選択図】        図１
2006081011.tif 000002
【特許請求の範囲】
【請求項１】
入力された画像データに対して画像形成処理を行って出力する画像形成装置において、
利用者に対するデータ表示を行うとともに利用者からの操作入力を行わせる表示操作手段と、
前記表示操作手段から指示された画像形成に関する複数のジョブを設定するジョブ設定手段と、
前記ジョブ設定手段が設定した前記複数のジョブの処理状況を前記表示操作手段上に同時に表示する処理状況表示制御手段と、
を備えたことを特徴とする画像形成装置。
【請求項２】
前記処理状況表示制御手段は、前記複数のジョブのすべてが完了する予想時間を表示することを特徴とする請求項１に記載の画像形成装置。
【請求項３】
前記表示操作手段からの認証情報の入力を受付け、受付けた認証情報に基づきユーザを特定するユーザ認証手段を更に備え、
前記処理状況表示制御手段は、前記ユーザ認証手段によって認証された特定のユーザが前記ジョブ設定手段により設定したジョブの処理状況を表示することを特徴とする請求項１に記載の画像形成装置。
【請求項４】
前記処理状況表示制御手段は、前記ユーザ認証手段によって認証された特定のユーザが前記ジョブ設定手段により設定したジョブが存在しない場合は警告を通知することを特徴とする請求項３に記載の画像形成装置。
【請求項５】
前記処理状況表示制御手段は、前記ユーザ認証手段によって認証された特定のユーザが前記ジョブ設定手段により設定したジョブの処理状況と、前記特定のユーザを含む複数のユーザが前記ジョブ設定手段により設定したジョブの処理状況とを切り替えて表示することを特徴とする請求項３に記載の画像形成装置。
【請求項６】
前記処理状況表示制御手段は、表示権限のあるユーザに対してのみ、前記ユーザ認証手段によって認証された特定のユーザが前記ジョブ設定手段により設定したジョブの処理状況と前記複数のユーザが前記ジョブ設定手段により設定したジョブの処理状況とを切り替えて表示することを特徴とする請求項５に記載の画像形成装置。
【請求項７】
前記処理状況表示制御手段は、前記複数のユーザが前記ジョブ設定手段により設定したジョブの処理状況をジョブの種類ごとにソートして表示することを特徴とする請求項５または６に記載の画像形成装置。
【請求項８】
入力された画像データに対して画像形成処理を行って出力する画像形成方法におけるジョブの処理状況を表示する処理状況表示制御方法において、
利用者に対するデータ表示を行うとともに利用者からの操作入力を行わせる表示操作手段から指示された画像形成に関する複数のジョブを同時に設定するジョブ設定ステップと、
前記複数のジョブの処理状況を前記表示操作手段上の同一画面に表示する処理状況表示制御ステップと、
を含むことを特徴とする処理状況表示制御方法。
【請求項９】
入力された画像データに対して画像形成処理を行って出力する画像形成方法におけるジョブの処理状況を表示する処理状況表示制御方法において、
利用者に対するデータ表示を行うとともに利用者からの操作入力を行わせる表示操作手段から指示された画像形成に関する複数のジョブを設定し、設定した前記複数のジョブの処理状況を一時記憶手段に記憶するジョブ設定ステップと、
前記一時記憶手段に記憶されている前記複数のジョブを読み出し、読み出した前記複数のジョブの処理状況を前記表示操作手段上に同時に表示する処理状況表示制御ステップと、
を含むことを特徴とする処理状況表示制御方法。
【請求項１０】
入力された画像データに対して画像形成処理を行って出力する画像形成方法におけるジョブの処理状況を表示する処理状況表示制御方法において、
利用者に対するデータ表示を行うとともに利用者からの操作入力を行わせる表示操作手段から指示された画像形成に関する複数のジョブを設定し、設定した前記複数のジョブの処理状況を一時記憶手段に記憶するジョブ設定ステップと、
前記一時記憶手段に記憶した前記複数のジョブおよび前記一時記憶手段に既に記憶されている他のジョブを読み出し、読み出した前記複数のジョブおよび前記他のジョブの処理状況を前記表示操作手段上に同時に表示する処理状況表示制御ステップと、
を含むことを特徴とする処理状況表示制御方法。
【請求項１１】
請求項８〜１０のいずれか１つに記載された方法をコンピュータに実行させるプログラム。
【発明の詳細な説明】
【技術分野】
【０００１】
この発明は、複数のジョブを設定する画像形成装置、処理状況表示制御方法、およびその方法をコンピュータで実行させるプログラムに関するものである。
【背景技術】
【０００２】
近年、プリンタ、コピー、ファクシミリ、スキャナなどの各装置の機能を１つの筐体内に収納した画像形成装置（以下、「複合機」という。）が知られている。この複合機は、１つの筐体内に表示部、印刷部および撮像部などを設けるとともに、プリンタ、コピーおよびファクシミリ装置にそれぞれ対応したソフトウェアを設け、これらのソフトウェアを切り替えることによって、当該装置をプリンタ、コピー、スキャナまたはファクシミリ装置として動作させるものである。
【０００３】
このような従来の複合機では、印刷待ちや送信待ちの文書情報をユーザが容易に確認できるようにするため、処理状況の表示機能が設けられている。そして、このような従来の複合機に関して、コピー、ファクシミリ、スキャナなどのジョブの種類ごとに画面を切り替えて、それぞれのジョブの処理状況を表示する装置が開示されている（例えば、特許文献１）。また、ジョブを複数予約可能な情報処理装置のユーザインターフェースに関して、ジョブの処理順序や予約数を容易に確認するため、ジョブの処理状況およびジョブの予約状況を一覧表示するユーザインターフェースが開示されている（例えば、特許文献２）。
【０００４】
【特許文献１】特開２０００−０７５９８１号公報
【特許文献２】特開２００１−１４４８９２号公報
【発明の開示】
【発明が解決しようとする課題】
【０００５】
ところで、ユーザのジョブ設定負担の軽減のため、複数のジョブ（印刷、ＦＡＸ送信、メール送信、保存など）を同時に設定できる複合機が開発されている。このような複合機では、前述のようにジョブの種類ごとに画面を切り替えて処理状況を確認する方法を使用すると、同時に設定した複数のジョブの処理状況を同時に確認することができない。すなわち、ユーザがどの種類のジョブを実行したかを意識して、各ジョブの処理状況を表示する画面に切り替えなければならず、処理状況確認の操作性が悪くなるという問題がある。また、処理状況を表示する各画面で個々のジョブの完了時間は確認できるが、同時に設定したジョブのすべての処理が完了する時間を容易に確認することができないという問題がある。
【０００６】
この発明は上記に鑑みてなされたものであって、ジョブの種類を意識することなく、複数のジョブの処理状況を同時に表示することによって、ジョブの処理状況を容易に把握できるようにした画像形成装置、処理状況表示制御方法、およびその方法をコンピュータで実行させるプログラムを提供することを目的とする。
【課題を解決するための手段】
【０００７】
上述した課題を解決し、目的を達成するために、請求項１にかかる発明は、入力された画像データに対して画像形成処理を行って出力する画像形成装置において、利用者に対するデータ表示を行うとともに利用者からの操作入力を行わせる表示操作手段と、前記表示操作手段から指示された画像形成に関する複数のジョブを設定するジョブ設定手段と、前記ジョブ設定手段が設定した前記複数のジョブの処理状況を前記表示操作手段上に同時に表示する処理状況表示制御手段と、を備えたことを特徴とする。
【０００８】
また、請求項２にかかる発明は、請求項１に記載の画像形成装置において、前記処理状況表示制御手段は、前記複数のジョブのすべてが完了する予想時間を表示することを特徴とする。
【０００９】
また、請求項３にかかる発明は、請求項１に記載の画像形成装置において、前記表示操作手段からの認証情報の入力を受付け、受付けた認証情報に基づきユーザを特定するユーザ認証手段を更に備え、前記処理状況表示制御手段は、前記ユーザ認証手段によって認証された特定のユーザが前記ジョブ設定手段により設定したジョブの処理状況を表示することを特徴とする。
【００１０】
また、請求項４にかかる発明は、請求項３に記載の画像形成装置において、前記処理状況表示制御手段は、前記ユーザ認証手段によって認証された特定のユーザが前記ジョブ設定手段により設定したジョブが存在しない場合は警告を通知することを特徴とする。
【００１１】
また、請求項５にかかる発明は、請求項３に記載の画像形成装置において、前記処理状況表示制御手段は、前記ユーザ認証手段によって認証された特定のユーザが前記ジョブ設定手段により設定したジョブの処理状況と、前記特定のユーザを含む複数のユーザが前記ジョブ設定手段により設定したジョブの処理状況とを切り替えて表示することを特徴とする。
【００１２】
また、請求項６にかかる発明は、請求項５に記載の画像形成装置において、前記処理状況表示制御手段は、表示権限のあるユーザに対してのみ、前記ユーザ認証手段によって認証された特定のユーザが前記ジョブ設定手段により設定したジョブの処理状況と前記複数のユーザが前記ジョブ設定手段により設定したジョブの処理状況とを切り替えて表示することを特徴とする。
【００１３】
また、請求項７にかかる発明は、請求項５または請求項６に記載の画像形成装置において、前記処理状況表示制御手段は、前記複数のユーザが前記ジョブ設定手段により設定したジョブの処理状況をジョブの種類ごとにソートして表示することを特徴とする。
【００１４】
また、請求項８にかかる発明は、入力された画像データに対して画像形成処理を行って出力する画像形成方法におけるジョブの処理状況を表示する処理状況表示制御方法において、利用者に対するデータ表示を行うとともに利用者からの操作入力を行わせる表示操作手段から指示された画像形成に関する複数のジョブを同時に設定するジョブ設定ステップと、前記複数のジョブの処理状況を前記表示操作手段上の同一画面に表示する処理状況表示制御ステップと、を含むことを特徴とする。
【００１５】
また、請求項９にかかる発明は、入力された画像データに対して画像形成処理を行って出力する画像形成方法におけるジョブの処理状況を表示する処理状況表示制御方法において、利用者に対するデータ表示を行うとともに利用者からの操作入力を行わせる表示操作手段から指示された画像形成に関する複数のジョブを設定し、設定した前記複数のジョブの処理状況を一時記憶手段に記憶するジョブ設定ステップと、前記一時記憶手段に記憶されている前記複数のジョブを読み出し、読み出した前記複数のジョブの処理状況を前記表示操作手段上に同時に表示する処理状況表示制御ステップと、を含むことを特徴とする。
【００１６】
また、請求項１０にかかる発明は、入力された画像データに対して画像形成処理を行って出力する画像形成方法におけるジョブの処理状況を表示する処理状況表示制御方法において、利用者に対するデータ表示を行うとともに利用者からの操作入力を行わせる表示操作手段から指示された画像形成に関する複数のジョブを設定し、設定した前記複数のジョブの処理状況を一時記憶手段に記憶するジョブ設定ステップと、前記一時記憶手段に記憶した前記複数のジョブおよび前記一時記憶手段に既に記憶されている他のジョブを読み出し、読み出した前記複数のジョブおよび前記他のジョブの処理状況を前記表示操作手段上に同時に表示する処理状況表示制御ステップと、を含むことを特徴とする。
【００１７】
また、請求項１１にかかる発明は、請求項８〜１０のいずれか１つに記載された方法をコンピュータに実行させるプログラムである。
【発明の効果】
【００１８】
請求項１にかかる発明によれば、複数のジョブの処理状況を、表示操作手段上で同時に確認することができる。このため、どの種類のジョブを実行したかを意識して確認画面を切り替えることなく、各ジョブの処理状況を容易に確認できるという効果を奏する。
【００１９】
また、請求項２にかかる発明によれば、複数のジョブのすべてが完了する時間を確認することができる。このため、全ジョブの完了時間を容易に確認できるという効果を奏する。
【００２０】
また、請求項３にかかる発明によれば、ユーザ認証によって特定されたユーザが設定したジョブの処理状況を確認することができる。このため、各ユーザが自分の設定したジョブの処理状況を容易に確認できるという効果を奏する。
【００２１】
また、請求項４にかかる発明によれば、ユーザ認証によって特定されたユーザが設定したジョブが存在しないときは警告を通知することができる。このため、ユーザの操作が無効であること、または処理状況表示対象が存在しないことを容易に把握できるという効果を奏する。
【００２２】
また、請求項５にかかる発明によれば、特定ユーザの設定したジョブの処理状況と、複数のユーザの設定したジョブの処理状況を切り替えて表示することができる。このため、複数のユーザが設定したジョブ中で、特定のユーザの設定したジョブがどのような処理状況にあるかを容易に確認できるという効果を奏する。
【００２３】
また、請求項６にかかる発明によれば、表示権限のあるユーザだけが複数のユーザの設定したジョブの処理状況を切り替えて表示することができる。このため、セキュリティを高めつつ複数のユーザが設定したジョブの処理状況を容易に確認できるという効果を奏する。
【００２４】
また、請求項７にかかる発明によれば、複数のユーザの処理状況をジョブごとにソートして表示することができる。このため、ジョブごとの出力待ち文書などを容易に把握できるという効果を奏する。
【００２５】
また、請求項８〜１０にかかる発明によれば、複数のジョブの処理状況を、表示操作手段上で同時に確認することができる。このため、どのジョブを実行したかを意識して確認画面を切り替えることなく、各ジョブの処理状況を容易に確認できるという効果を奏する。
【００２６】
また、請求項１１の発明によれば、請求項８〜１０のいずれか１つに記載された方法をコンピュータに実行させることができるという効果を奏する。
【発明を実施するための最良の形態】
【００２７】
以下に添付図面を参照して、この発明にかかる画像形成装置の最良な実施の形態を詳細に説明する。
【００２８】
（第１の実施の形態）
第１の実施の形態にかかる複合機は、複数ジョブの処理状況とすべてのジョブが完了する予想時間を表示操作手段上に同時に表示するものである。
【００２９】
図１は、本発明の第１の実施の形態にかかる複合機１００の構成を示すブロック図である。図１に示すように、複合機１００は、主要なハードウェアとして、ユーザインターフェースである操作パネル１０１と、スキャナエンジン１１０と、プリンタエンジン１１１と、ＲＡＭ(Random Access Memory)１１２とを備えている。
【００３０】
また、複合機１００は、主要なソフトウェア構成として、操作パネル制御部１０４と、処理状況表示制御部１０５と、ジョブ設定部１０６と、スキャナ制御部１０７と、プリンタエンジン制御部１０８と、印刷部１０９とを備えている。
【００３１】
操作パネル１０１は、機能設定キー、部数、および複合機１００の状態を示すメッセージを表示する表示部１０２と、テンキー、クリア／ストップキー、スタートキー、予熱キー、リセットキー、初期設定キー、印刷キー、送信キー、保存キーなどのキー入力を受付ける入力部１０３とを有する。表示部１０２は、画像を表示するとともにタッチパネル方式で操作入力可能な入力部も兼ねている。操作パネル１０１は、本発明における表示操作手段に相当する。
【００３２】
スキャナエンジン１１０は、スキャナを駆動し、原稿のスキャン処理を実行する。プリンタエンジン１１１は、画像データを紙媒体に印刷する処理を実行する。ＲＡＭ１１２は、ランダムアクセスが可能なメモリであり、処理状況管理テーブル１１３を格納するための記憶部として機能する。ＲＡＭ１１２は、本発明における一時記憶手段に相当する。
【００３３】
操作パネル制御部１０４は、操作パネル１０１の表示部１０２への各種画面の表示制御、入力部１０３からのキー入力イベントの受付けを行う。スキャナ制御部１０７は、スキャナエンジン１１０を制御する。プリンタエンジン制御部１０８は、プリンタエンジン１１１を制御する。印刷部１０９は、コピーや受信原稿の印字のための画像形成処理を行う。
【００３４】
処理状況表示制御部１０５は、印刷、ＦＡＸ送信、メール送信、保存といった複数のジョブの処理状況と、すべてのジョブが完了する予想時間を操作パネル１０１の表示部１０２に表示する。ジョブ設定部１０６は、ユーザが操作パネル１０１の入力部１０３から指定した一つまたは複数のジョブの設定を行う。
【００３５】
図２は、処理状況管理テーブル１１３の一例を示す説明図である。同図の例に示すように、処理状況管理テーブル１１３は、ジョブを識別するジョブＩＤごとに、開始時刻、実行者、各ジョブの処理状況、完了予想時間を格納している。
【００３６】
次に、このように構成された第１の実施の形態の複合機１００による処理状況表示制御処理について説明する。図３は、第１の実施の形態における処理状況表示制御処理の全体の流れを示すフローチャートである。
【００３７】
まず、操作パネル制御部１０４が、操作パネル１０１の表示部１０２にジョブ設定画面を表示する（ステップＳ３０１）。
【００３８】
図４は、ジョブ設定画面の内容を示す模式図である。ジョブ設定画面には、入力形式を指定するための入力形式指定エリア４０６と、出力形式を指定するための出力形式指定エリア４０７が表示されている。入力形式は、ユーザが紙タブ４０１または電子タブ４０２を選択することにより、紙または電子を設定する。出力形式は、ユーザが印刷タブ４０３、送信タブ４０４、または保存タブ４０５を選択し、出力条件を具体的に指定することにより、印刷、送信、または保存を設定する。例えば、入力形式に紙を、出力形式として印刷を選択し、排出トレイや変倍率など印刷条件を具体的に指定することにより、コピー機能を実行することができる。また、入力形式に紙を、出力形式として印刷と送信を選択し、印刷条件とＦＡＸ送信条件を具体的に指定することにより、コピー機能とともにＦＡＸ送信機能を同時に実行することができる。
【００３９】
ジョブ設定画面が表示されると、ジョブ設定部１０６が、操作パネル１０１の入力部１０３からユーザが指定したジョブを受付け、ジョブの設定を行う（ステップＳ３０２）とともに、設定したジョブの処理状況をＲＡＭ１１２に格納されている処理状況管理テーブル１１３に追加する。設定に従いジョブの実行が開始されると、処理状況表示制御部１０５は、処理状況管理テーブル１１３から処理中または待機中のジョブを検索する（ステップＳ３０３）。
【００４０】
処理中または待機中のジョブが存在する場合、処理状況表示制御部１０５は各ジョブの処理状況を処理状況管理テーブル１１３から取得する（ステップＳ３０４）。その後、取得した処理状況を操作パネル１０１の表示部１０２上の処理状況確認画面に表示する（ステップＳ３０５）。
【００４１】
図５は、処理状況確認画面の内容を示す模式図である。全体ビューボタン５０１は、処理状況を一覧表示する場合に押下するボタンである。戻るボタン５０２は、前画面に戻る場合に押下するボタンである。詳細内容表示ボタン５０３は、ジョブの詳細内容を表示する場合に押下するボタンである。複数の文書がある場合は、前の文書ボタン５０４や次の文書ボタン５０５を押下することにより、他の文書の処理状況を確認することができる。
【００４２】
また、処理状況確認画面の中央左側には、現在表示中の文書についての処理の開始時刻と、ジョブの種類ごとの処理状況、および当該文書のすべてのジョブの完了予想時間が表示されている。
【００４３】
このように、第１の実施の形態にかかる複合機１００では、複数のジョブの処理状況を操作パネル１０１の表示部１０２に表示される一つの処理状況確認画面上で確認することができる。また、複数のジョブのすべてが完了する時間を確認することができる。このため、どの種類のジョブを実行したかを意識して確認画面を切り替えることなく、各ジョブの処理状況や全ジョブの完了予想時間を容易に把握することができる。
【００４４】
（第２の実施の形態）
第２の実施の形態にかかる複合機１００は、ユーザ認証された特定ユーザが設定した複数ジョブの処理状況とすべてのジョブが完了する予想時間を表示操作手段上に同時に表示するとともに、ユーザ情報の属性に応じて複数のユーザの設定したジョブの処理状況も表示するものである。また、一覧表示した複数のユーザの設定したジョブの処理状況を、ジョブの種類によってソートして表示可能とするものである。
【００４５】
図６に示すように、複合機１００は、主要なハードウェアとして、ユーザインターフェースである操作パネル１０１と、スキャナエンジン１１０と、プリンタエンジン１１１と、ＲＡＭ１１２と、ハードディスクドライブ（ＨＤＤ：Hard Disk Drive）６０２とを備えている。
【００４６】
また、複合機１００は、主要なソフトウェア構成として、ユーザ認証部６０１と、操作パネル制御部１０４と、処理状況表示制御部１０５と、ジョブ設定部１０６と、スキャナ制御部１０７と、プリンタエンジン制御部１０８と、印刷部１０９とを備えている。
【００４７】
第２の実施の形態においては、ユーザ認証部６０１、ＨＤＤ６０２およびユーザ管理テーブル６０３を追加したことが第１の実施の形態と異なっている。その他の構成および機能は、第１の実施の形態にかかる構成を表すブロック図である図１と同様であるので、同一符号を付し、ここでの説明は省略する。
【００４８】
ユーザ認証部６０１は、操作パネル１０１の入力部１０３からユーザが入力したユーザ名、パスワードとユーザ管理テーブル６０３を参照してユーザの認証を行う。ＨＤＤ６０２は、ユーザ認証などに使用するユーザ管理テーブル６０３を保存している。ユーザ管理テーブル６０３は、ユーザ認証や機能制限のためのユーザに関する情報を管理している。ユーザ名、パスワードは、本発明における認証情報に相当する。なお、ユーザ認証は指紋等の生体情報による認証、ＩＣカードによる認証などにより構成してもよい。
【００４９】
図７は、ユーザ管理テーブル６０３の一例を示す説明図である。図７の例に示すように、ユーザ管理テーブル６０３は、ユーザを識別するユーザＩＤごとに、ユーザ名、パスワード、および処理状況の一覧画面を表示できるか否かを示す属性であるアクセスレベルを格納している。
【００５０】
図９は、ユーザ登録やアクセスレベルを設定する管理者設定機能を選択するための初期設定画面の内容を示す模式図である。管理者設定ボタン９０１を押下することにより、管理者設定機能を実行するための管理者設定画面が操作パネル１０１の表示部１０２に表示される。
【００５１】
図１０は、管理者設定画面の内容を示す模式図である。ユーザ登録設定ボタン１００１を押下すると、ユーザの追加、ユーザの削除等を実行する画面（図示せず）が操作パネル１０１の表示部１０２に表示される。アクセスレベルボタン１００２を押下すると、ユーザごとにアクセスレベルを変更する画面（図示せず）が操作パネル１０１の表示部１０２に表示される。
【００５２】
次に、このように構成された第２の実施の形態の複合機１００による処理状況表示制御処理について説明する。図８は、第２の実施の形態における処理状況表示制御処理の全体の流れを示すフローチャートである。
【００５３】
まず、操作パネル制御部１０４が、操作パネル１０１の表示部１０２にユーザ認証画面を表示する（ステップＳ８０１）。
【００５４】
図１１は、ユーザ認証画面の内容を示す模式図である。ユーザ認証画面の左側には、ユーザ名を入力するユーザ名入力フィールド１１０１と、パスワードを入力するパスワード入力フィールド１１０２が表示されている。また、ユーザ認証画面の右側には、ユーザ名とパスワード入力後にユーザ認証を開始するための実行ボタン１１０３が表示されている。
【００５５】
ユーザ認証画面が表示された後、ユーザ認証部６０１がユーザ名およびパスワードの入力の受付けがあったか否かを判断する（ステップＳ８０２）。入力の受付けがない場合は（ステップＳ８０２：ＮＯ）、ユーザ名およびパスワードの入力受付け待ち状態となる。入力の受付けがあった場合は（ステップＳ８０２：ＹＥＳ）、ユーザ認証部６０１は、該当するユーザの情報をユーザ管理テーブル６０３から検索する（ステップＳ８０３）。
【００５６】
次に、ユーザ認証部６０１は、入力されたユーザ名およびパスワードと、ユーザ管理テーブル６０３から検索したユーザ名およびパスワードが一致しているか否かを判断する（ステップ８０４）。一致していない場合は（ステップ８０４：ＮＯ）、再度ユーザ名およびパスワードの入力受付け待ち状態となる。一致している場合は（ステップ８０４：ＹＥＳ）、処理状況表示制御部１０５が、処理状況管理テーブル１１３から該当ユーザの処理中または待機中のジョブを検索する（ステップＳ８０５）。
【００５７】
次に、処理状況表示制御部１０５が、該当ユーザの処理中または待機中のジョブが存在するか否かを判断する（ステップＳ８０６）。該当するジョブが存在しない場合は（ステップＳ８０６：ＮＯ）、処理状況表示制御部１０５は警告画面を操作パネル１０１の表示部１０２に表示する（ステップＳ８０８）。
【００５８】
図１２は、警告画面の内容を示す模式図である。図１２に示すように、警告画面には該当するジョブが存在しないか、既に完了している旨のメッセージが表示される。なお、本実施例では警告画面を表示することにより警告を通知しているが、警告音や警告ランプなどにより警告を通知するように構成してもよい。
【００５９】
該当ユーザの処理中または待機中のジョブが存在する場合は（ステップＳ８０６：ＹＥＳ）、処理状況表示制御部１０５は、処理状況管理テーブル１１３から該当ジョブの処理状況を取得する（ステップＳ８０７）。
【００６０】
次に、処理状況表示制御部１０５は、ユーザ管理テーブル６０３から該当ユーザのアクセスレベルを取得し（ステップＳ８０９）、アクセスレベルがジョブ一覧画面切替可であるか否かを判断する（ステップＳ８１０）。アクセスレベルがジョブ一覧画面切替可でない場合は（ステップＳ８１０：ＮＯ）、処理状況表示制御部１０５は、ジョブ一覧画面に遷移するための全体ビューボタン５０１の存在しない処理状況確認画面を操作パネル１０１の表示部１０２に表示する（ステップＳ８１２）。
【００６１】
図１３は、全体ビューボタン５０１の存在しない処理状況確認画面の内容を示す模式図である。同図に示すように、全体ビューボタン５０１が存在しないため、複数のユーザの設定したジョブの処理状況を確認するためのジョブ一覧画面を表示することができない。全体ビューボタン５０１が存在しない以外は図５と同様であるので、同一の符号を付し、ここでの説明は省略する。
【００６２】
アクセスレベルがジョブ一覧画面切替可である場合は（ステップＳ８１０：ＹＥＳ）、
処理状況表示制御部１０５は、図５に示すような全体ビューボタン５０１の存在する処理状況確認画面を操作パネル１０１の表示部１０２に表示する（ステップＳ８１１）。
【００６３】
次に、処理状況表示制御部１０５は、全体ビューボタン５０１が押下されたか否かを判断する（ステップＳ８１３）。押下されていない場合は（ステップＳ８１３：ＮＯ）、全体ビューボタン５０１の入力待ち状態となる。押下された場合（ステップＳ８１３：ＹＥＳ）、処理状況表示制御部１０５は、複数のユーザの設定したジョブの処理状況を一覧表示するジョブ一覧画面を操作パネル１０１の表示部１０２に表示する（ステップＳ８１４）。
【００６４】
図１４は、ジョブ一覧画面の内容を示す模式図である。同図に示すとおり、ユーザ認証された特定ユーザだけでなく、複数のユーザの設定した処理中または待機中のジョブの処理状況が一覧形式で表示される。ジョブ一覧画面の上部には、ジョブの種類ごとにソートするための出力機能ボタン１４０１、ユーザ認証された特定ユーザの文書ごとの処理状況表示画面に遷移するための個人ビューボタン１４０２、完了予想時間を表示するための完了時間表示エリア１４０３、前画面に戻るための戻るボタン１４０４が表示されている。
【００６５】
また、ジョブ一覧画面の右側には、選択する文書を切り替えるための「前へ」ボタン１４０５および「後へ」ボタン１４０６、設定内容の詳細を表示するための内容表示ボタン１４０７、ジョブを削除するための削除ボタン１４０８が表示されている。
【００６６】
ジョブ一覧画面が表示されると、処理状況表示制御部１０５は、出力機能ボタン１４０１のいずれか（印刷、ＦＡＸ送信、メール送信、または保存）が押下されたか否かを判断する（ステップＳ８１５）。押下されていない場合は（ステップＳ８１５：ＮＯ）、出力機能ボタン１４０１の入力待ち状態となる。押下された場合（ステップＳ８１５：ＹＥＳ）、処理状況表示制御部１０５は、当該出力機能の処理状況でソートして、ジョブ一覧画面を操作パネル１０１の表示部１０２に再描画する（ステップＳ８１６）。
【００６７】
図１５は、ソート後のジョブ一覧画面の内容を示す模式図である。同図では、ＦＡＸ送信に対応する出力機能ボタン１５０１を押下し再描画された場合のジョブ一覧画面が例示されている。
【００６８】
このように、第２の実施の形態にかかる複合機１００では、ユーザ認証部６０１により認証されたユーザが設定したジョブの処理状況だけを表示し、該当するデータが存在しないときはその旨を示す警告画面を表示するため、確認の必要なジョブだけを効率よく容易に把握することができる。また、一覧画面の表示権限が与えられているユーザに対しては、複数のユーザの設定したジョブの処理状況を示すジョブ一覧画面を表示するため、セキュリティを確保しつつ複数のユーザの設定したジョブを容易に把握することができる。ジョブ一覧画面では、ジョブの種類ごとにソートして表示可能なため、ジョブごとの出力待ち文書などを容易に把握することができる。
【００６９】
図１６は、第１から第２の実施の形態にかかる複合機１００のハードウェア構成を示すブロック図である。同図に示すように、この複合機１００は、コントローラ１６１０と、スキャナエンジン１１０およびプリンタエンジン１１１とをＰＣＩ（Peripheral Component Interconnect）バスで接続した構成となる。コントローラ１６１０は、複合機１００全体の制御と描画、通信、操作パネル１０１からの入力を制御するコントローラである。
【００７０】
コントローラ１６１０は、ＣＰＵ１６１１と、システムメモリ（ＭＥＭ−Ｐ）１６１２と、ノースブリッジ（ＮＢ）１６１３と、サウスブリッジ（ＳＢ）１６１４と、ＡＳＩＣ（Application Specific Integrated Circuit）１６１６と、ローカルメモリ（ＭＥＭ−Ｃ）１６１７と、ＨＤＤ６０２とを有し、ＮＢ１６１３とＡＳＩＣ１６１６との間をＡＧＰ（Accelerated Graphics Port）バス１６１５で接続した構成となる。また、ＭＥＭ−Ｐ１６１２は、ＲＯＭ（Read Only Memory）１６１２ａと、ＲＡＭ１１２と、ＮＶ−ＲＡＭ１６１２ｂとをさらに有する。
【００７１】
ＣＰＵ１６１１は、複合機１００の全体制御をおこなうものであり、ＭＥＭ−Ｐ１６１２、ＮＢ１６１３およびＳＢ１６１４からなるチップセットを有し、このチップセットを介して他の機器と接続される。
【００７２】
ＭＥＭ−Ｐ１６１２は、プログラムやデータの格納用メモリ、プログラムやデータの展開用メモリ、プリンタの描画用メモリなどとして用いるシステムメモリであり、ＲＯＭ１６１２ａとＲＡＭ１１２と、ＮＶ−ＲＡＭ１６１２ｂとからなる。ＲＯＭ１６１２ａは、プログラムやデータの格納用メモリとして用いる読み出し専用のメモリであり、ＲＡＭ１１２は、プログラムやデータの展開用メモリ、プリンタの描画用メモリなどとして用いる書き込みおよび読み出し可能なメモリであり、ＮＶ−ＲＡＭ１６１２ｂは、電源断時でもデータが消えない不揮発メモリである。
【００７３】
ＮＢ１６１３は、ＣＰＵ１６１１とＭＥＭ−Ｐ１６１２、ＳＢ１６１４、ＡＧＰ１６１５とを接続するためのブリッジであり、ＭＥＭ−Ｐ１６１２に対する読み書きなどを制御するメモリコントローラと、ＰＣＩマスタおよびＡＧＰターゲットとを有する。
【００７４】
ＳＢ１６１４は、ＮＢ１６１３とＰＣＩデバイス、周辺デバイスとを接続するためのブリッジである。このＳＢ１６１４は、ＰＣＩバスを介してＮＢ１６１３と接続されており、このＰＣＩバスには、ネットワークインターフェース（Ｉ／Ｆ）部なども接続される。
【００７５】
ＡＳＩＣ１６１６は、画像処理用のハードウェア要素を有する画像処理用途向けのＩＣ（Integrated Circuit）であり、ＡＧＰ１６１５、ＰＣＩバス、ＨＤＤ６０２およびＭＥＭ−Ｃ１６１７をそれぞれ接続するブリッジの役割を有する。このＡＳＩＣ１６１６は、ＰＣＩターゲットおよびＡＧＰマスタと、ＡＳＩＣ１６１６の中核をなすアービタ（ＡＲＢ）と、ＭＥＭ−Ｃ１６１７を制御するメモリコントローラと、ハードウェアロジックなどにより画像データの回転などをおこなう複数のＤＭＡＣ（Direct Memory Access Controller）と、スキャナエンジン１１０またはプリンタエンジン１１１との間でＰＣＩバスを介したデータ転送をおこなうＰＣＩユニットとからなる。このＡＳＩＣ１６１６には、ＰＣＩバスを介してＦＣＵ（Fax Control Unit）１６２０、ＵＳＢ（Universal Serial Bus）１６３０、ＩＥＥＥ１３９４（the Institute of Electrical and Electronics Engineers 1394）インターフェース１６４０が接続される。
【００７６】
ＭＥＭ−Ｃ１６１７は、コピー用画像バッファ、符号バッファとして用いるローカルメモリであり、ＨＤＤ６０２は、画像データの蓄積、プログラムの蓄積、フォントデータの蓄積、フォームの蓄積を行うためのストレージである。
【００７７】
ＡＧＰ１６１５は、グラフィック処理を高速化するために提案されたグラフィックスアクセラレーターカード用のバスインターフェースであり、ＭＥＭ−Ｐ１６１２に高スループットで直接アクセスすることにより、グラフィックスアクセラレーターカードを高速にするものである。
【００７８】
なお、第１から第２の実施の形態にかかる複合機１００で実行される処理状況表示制御プログラムは、ＲＯＭ等に予め組み込まれて提供される。
【００７９】
第１から第２の実施の形態にかかる複合機１００で実行される処理状況表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８０】
さらに、第１から第２の実施の形態にかかる複合機１００で実行される処理状況表示制御プログラムを、インターネット等のネットワークに接続されたコンピュータ上に格納し、ネットワーク経由でダウンロードさせることにより提供するように構成しても良い。また、第１から第２の実施の形態にかかる複合機１００で実行される処理状況表示制御プログラムをインターネット等のネットワーク経由で提供または配布するように構成しても良い。
【００８１】
第１から第２の実施の形態にかかる複合機１００で実行される処理状況表示制御プログラムは、上述した各部（操作パネル制御部、処理状況表示制御部、ジョブ設定部、ユーザ認証部、スキャナ制御部、プリンタエンジン制御部、印刷部）を含むモジュール構成となっており、実際のハードウェアとしてはＣＰＵ（プロセッサ）が上記ＲＯＭから処理状況表示制御プログラムを読み出して実行することにより上記各部が主記憶装置上にロードされ、操作パネル制御部、処理状況表示制御部、ジョブ設定部、ユーザ認証部、スキャナ制御部、プリンタエンジン制御部、印刷部が主記憶装置上に生成されるようになっている。
【産業上の利用可能性】
【００８２】
以上のように、本発明にかかる画像形成装置、処理状況表示制御方法およびプログラムは、表示操作手段とコピー機能やプリンタ機能を備えた複合機に適している。
【図面の簡単な説明】
【００８３】
【図１】第１の実施の形態にかかる複合機の構成を示すブロック図である。
【図２】処理状況管理テーブルの一例を示す説明図である。
【図３】第１の実施の形態にかかる複合機における処理状況表示制御処理を示すフローチャートである。
【図４】第１の実施の形態にかかる複合機におけるジョブ設定画面の一例を示す模式図である。
【図５】第１の実施の形態にかかる複合機における処理状況表示画面の一例を示す模式図である。
【図６】第２の実施の形態にかかる複合機の構成を示すブロック図である。
【図７】第２の実施の形態にかかる複合機におけるユーザ管理テーブルの一例を示す説明図である。
【図８】第２の実施の形態にかかる複合機における処理状況表示制御処理を示すフローチャートである。
【図９】第２の実施の形態にかかる複合機における初期画面の一例を示す模式図である。
【図１０】第２の実施の形態にかかる複合機における管理者設定画面の一例を示す模式図である。
【図１１】第２の実施の形態にかかる複合機におけるユーザ認証画面の一例を示す模式図である。
【図１２】第２の実施の形態にかかる複合機における警告画面の一例を示す模式図である。
【図１３】第２の実施の形態にかかる複合機における、全体ビューボタンの存在しない処理状況表示画面の一例を示す模式図である。
【図１４】第２の実施の形態にかかる複合機におけるジョブ一覧画面の一例を示す模式図である。
【図１５】第２の実施の形態にかかる複合機における、ソート後のジョブ一覧画面の一例を示す模式図である。
【図１６】複合機のハードウェアを説明するための説明図である。
【符号の説明】
【００８４】
１００    画像形成装置（複合機）
１０１    操作パネル
１０２    表示部
１０３    入力部
１０４    操作パネル制御部
１０５    処理状況表示制御部
１０６    ジョブ設定部
１０７    スキャナ制御部
１０８    プリンタエンジン制御部
１０９    印刷部
１１０    スキャナエンジン
１１１    プリンタエンジン
１１２    ＲＡＭ
１１３    処理状況管理テーブル
４０１    紙タブ
４０２    電子タブ
４０３    印刷タブ
４０４    送信タブ
４０５    保存タブ
４０６    入力形式指定エリア
４０７    出力形式指定エリア
５０１    全体ビューボタン
５０２    戻るボタン
５０３    詳細内容表示ボタン
５０４    前の文書ボタン
５０５    次の文書ボタン
６０１    ユーザ認証部
６０２    ＨＤＤ
６０３    ユーザ管理テーブル
９０１    管理者設定ボタン
１００１  ユーザ登録設定ボタン
１００２  アクセスレベルボタン
１１０１  ユーザ名入力フィールド
１１０２  パスワード入力フィールド
１１０３  実行ボタン
１４０１  出力機能ボタン
１４０２  個人ビューボタン
１４０３  完了時間表示エリア
１４０４  戻るボタン
１４０５  「前へ」ボタン
１４０６  「後へ」ボタン
１４０７  内容表示ボタン
１４０８  削除ボタン
１５０１  出力機能ボタン
１６１０  コントローラ
１６１１  ＣＰＵ
１６１２  ＭＥＭ−Ｐ
１６１２ａ      ＲＯＭ
１６１２ｂ      ＮＶ−ＲＡＭ
１６１３  ＮＢ
１６１４  ＳＢ
１６１５  ＡＧＰ
１６１６  ＡＳＩＣ
１６１７  ＭＥＭ−Ｃ
１６２０  ＦＣＵ
１６３０  ＵＳＢ
１６４０  ＩＥＥＥ１３９４
【図１】
2006081011.tif 000003
【図２】
2006081011.tif 000004
【図３】
2006081011.tif 000005
【図４】
2006081011.tif 000006
【図５】
2006081011.tif 000007
【図６】
2006081011.tif 000008
【図７】
2006081011.tif 000009
【図８】
2006081011.tif 000010
【図９】
2006081011.tif 000011
【図１０】
2006081011.tif 000012
【図１１】
2006081011.tif 000013
【図１２】
2006081011.tif 000014
【図１３】
2006081011.tif 000015
【図１４】
2006081011.tif 000016
【図１５】
2006081011.tif 000017
【図１６】
2006081011.tif 000018